(57)【要約】【課題】部屋の隅に三角柱状箱体を形成し、その正面に壁掛け式クーラユニットの室内機を取付けることができる壁掛け式クーラユニットの取付構造を提供する。【解決手段】部屋の隅の天井近くの位置に、平面から見て直角三角形の形を為し、その直角部分を前記隅に当てた形の三角柱状箱体を形成し、前記箱体の正面部分に前記壁掛け式クーラユニットの室内機を取付けるようにしたことを特徴とする壁掛け式クーラユニットの取付構造。【選択図】図1
0003134334.tif 000002
【実用新案登録請求の範囲】
【請求項１】
部屋の隅の天井近くの位置に、平面から見て直角三角形の形を為し、その直角部分を前記隅に当てた形の三角柱状箱体を形成し、前記箱体の正面部分に壁掛け式クーラユニットの室内機を取付けたことを特徴とする壁掛け式クーラユニットの取付構造。
【請求項２】
前記箱体はフレームやアングル材を組み合わせて構成され、その内部は中空で、その正面には前記壁掛け式クーラユニットの室内機を取付けるための平板を固定したことを特徴とする請求項１記載の壁掛け式クーラユニットの取付構造。
【請求項３】
前記箱体の正面及び下面は化粧板で装飾されることを特徴とする請求項１または２記載の壁掛け式クーラユニットの取付構造。
【請求項４】
前記箱体は中空構造を為し、この中空部分に電気配線及び水配管並びに冷媒配管を設備することを特徴とする請求項１〜３のいずれか１つに記載の壁掛け式クーラユニットの取付構造。
【請求項５】
前記フレームやアングル材は、鋼製又は樹脂製とされ、上側部材と下側部材とに分割構成されて、さらに折り畳み自在に構成されることを特徴とする請求項２記載の壁掛け式クーラユニットの取付構造。
【考案の詳細な説明】
【技術分野】
【０００１】
本考案は、通常の壁掛け式クーラユニットの室内機を、部屋の隅の天井近くの位置に形成した三角柱状箱体の正面に設置し、このコーナ部分から部屋の中央部分に向けて冷気を供給できるようにした壁掛け式クーラユニットの取付構造に関する。
【背景技術】
【０００２】
部屋の隅にクーラユニットの室内機を設置し、部屋の中央部分に向けて冷気を供給できるようにした隅置き式クーラが販売されている。この隅置き式クーラは、部屋の隅に据えることで実現される。部屋の隅に隅置き式クーラを設置すると、冷気を部屋の中央に向けて供給することができ、対流関係をよくして部屋の冷却効果を高くすることができる。
【０００３】
しかしながら、従来の隅置き式クーラは、部屋の隅に設置されることを予定して特別に作られた特殊構造で、比較的大容量に限られて製作され、価格においても高価であり、ビルの一角や広間においてのみ採用可能で、一般家庭、特に日本家屋の一室に容易に設置できるというようなものではなかった。
【０００４】
因みに、一般家庭用のクーラとしては壁掛け式クーラが主流で、屋外機と室内機に分けて構成され、室内機の方を部屋の壁面に貼付けた形で設置できるようになっている。この壁掛け式クーラは大量生産されて安価に提供されている。
【０００５】
しかし、壁掛け式クーラは、室内機を壁面に貼り付けたような形で設置するため、部屋の中央に向けて冷気を供給することはできなかった。
【０００６】
部屋の建築構造にあっては家庭用であっても隅置き式と同じように室内機を部屋の隅に取付けて、冷気を部屋の中央に向けて供給したい場合がある。そのためには、通常の壁掛け式クーラを無理やり天井から吊り下げるような形を取らざるを得ず、無理な工事では体裁も悪く、工事も大変で、ほとんどの場合、設置不能にして隅への設置を断念せざるを得なかった。
【０００７】
従来技術を検討した所、特開２００２−３４０３６０号公報が参照される程度で、部屋の隅に壁掛け式クーラユニットを取付ける構造については何ら見当らなかった。
【０００８】
特開２００２−３４０３６０号公報は、壁掛けエアコンの排水系流が詰まり、ドレンがこぼれるのを防止するため、こぼれたドレンを受け皿で受け、ここにドレンセンサを設けてエアコンを停止し、ドレンがこぼれることによる事故を未然に防止しようとしたものである。
【特許文献１】特開２００２−３４０３６０号公報、第１頁、図６
【考案の開示】
【考案が解決しようとする課題】
【０００９】
本考案は、通常の壁掛け式クーラユニットの室内機を部屋、特に日本家屋の部屋の隅に容易に体裁よく取付けて冷気を部屋の中央に向けて効率よく供給できるクーラユニットの取付構造を提供することを目的とする。また、平面から見て直角三角形の形を為し、その直角部分を部屋の隅に当てた形の三角柱状箱体を形成し、この箱体の正面部分に室内機を取付けるようにし、部屋の中央部に冷気が供給できる壁掛け式クーラユニットの取付構造を提供することを目的とする。
【００１０】
また、箱体の正面及び下面を化粧板で装飾することにより、装飾された箱体の正面にクーラユニットを取付けた形とし、綺麗な仕上げとすることができるクーラユニットの取付構造を提供することを目的とする。
【００１１】
また、箱体を中空構造と為し、正面に取付けた室内機の電気配線及び水配管並びに冷媒配管を底面側から容易に行うことができるクーラユニットの取付構造を提供することを目的とする。
【００１２】
さらに、箱体を構成するフレームやアングル材を鋼製又は樹脂製とし、上側部材と下側部材とに分割構成し、さらに折り畳み自在として、箱体搬送を容易とすることを目的とする。
【課題を解決するための手段】
【００１３】
上記課題を解決するための本考案は、部屋の隅の天井近くの位置に、平面から見て直角三角形の形を為し、その直角部分を前記隅に当てた形の三角柱状箱体を形成し、前記箱体の正面部分に前記壁掛け式クーラユニットの室内機を取付けるようにしたことを特徴とする壁掛け式クーラユニットの取付構造である。
【００１４】
部屋の隅の天井近くの位置に直角三角形の形を為し、この直角部分を前記隅に当てた形の三角柱状箱体を形成し、その箱体の正面部分に壁掛け式クーラユニットの室内機を取付けるので、室内機の正面から冷気を供給すると、その冷気は必然的に部屋の中央部分に向うようになり、通常の壁掛け式クーラでユニットを用いながら、従来の隅置き式のクーラと同様の効果を得ることができる。
【００１５】
しかも、壁掛け式クーラの本体は、家庭用品として大量生産され安価に提供されているので、これをそのまま利用した形でシステム全体を安価に提供できる。
【００１６】
前記箱体はフレームやアングル材を組み合わせて構成でき、その正面に前記壁掛け式クーラユニットの室内機を取付けるための平板を固定し、これに壁掛け式クーラユニットの室内機を取付けることができる。
【００１７】
前記箱体の正面及び下面は化粧板で装飾することにより、室内機を天井から吊下げたときのように不細工な仕上がりとならず、高級感を持たせて綺麗な仕上がりとすることができる。
【００１８】
前記箱体は中空構造を為し、この中空部分に電気配線及び水配管並びに冷媒配管を設備することができる。従って、工事容易にして、ドレン水の勾配を十分にとることができる。
【００１９】
前記箱体の一般的な寸法を示すと、直角三角形は２等辺直角三角形とされ、一辺の長さは約７７ｃｍとされる。日本家屋の場合、柱間隔が９０ｃｍとされるので、箱体をこの柱に対して形成するためである。また、一辺を約７７ｃｍとすると、正面の寸法は約１１０ｃｍとなり、この寸法内に横幅が６０〜１００例えば８５ｃｍの室内機を取付けることができる。因みに、一般的な設計では箱体の縦寸法は約５０ｃｍである。この縦寸法は余り大きくとると邪魔であるので、７０ｃｍ以下とするのが好ましい。また、箱体下方の空きスペースに花台やテレビ台など台を作ることもできる。
【００２０】
箱体の底面は、電気配線及び水配管並びに冷媒配管を終了したのち、化粧板を用いて下方側から蓋をすることができ、綺麗な仕上げとすることができる。
【００２１】
アングル材を鋼製又は樹脂製とし、三角柱状箱体の上側部材と下側部材とに分割構成し、各部材を折り畳み自在に構成すると、折り畳んで輸送し現場で開けて組み立てれば、設置工事を容易に行うことができる。
【考案の効果】
【００２２】
以上の通り、本考案の壁掛け式クーラユニットの取付構造によれば、部屋の隅に三角柱状箱体を形成し、その正面に壁掛け式クーラユニットの室内機を容易、頑丈に取付けることができる。
【００２３】
箱体の正面部分に壁掛け式クーラユニットの室内機を取付ける構造であるので、冷気を部屋の中央に向けて効率よく供給でき、冷却効率が高い。しかも、箱体内に電気配線及び水配管並びに冷媒配管を設備できるので、工事を容易に、かつ確実に行うことができる。
【００２４】
部屋の隅に三角柱状の箱体を形成し、その正面に室内機を取付ける形であり、箱体の正面及び下面を化粧版で装飾できるので、簡易な工事にて仕上がりを綺麗にすることができる。
【００２５】
部屋の隅の天井近くの位置に形成される箱体は、木材類を用いて細工できるが、既製品として提供することもできる。既製品としては、フレームやアングル材を組み合わせて構成し、かつ箱体の上側部材を下側部材とに分割構成して、さらに折り畳み自在に構成することによりコンパクト化を行って搬送容易、組立容易とすることができる。
【考案を実施するための最良の形態】
【００２６】
以下、添付図面を参照して本考案を実施するための最良の形態を説明する。図１は本考案を実施した壁掛け式クーラユニットの取付構造の一実施形態を示す平面図、図２は図１の矢印Ｆ２方向から見た側面図、図３（ａ）は本考案で用いる三角柱状箱体を図１の矢印Ｆ３方向で斜め上方から見た斜視図、図３（ｂ）は箱体の正面に用いる正面化粧板の説明図、図３（ｃ）は箱体の底面に用いる底面化粧板の説明図である。
【００２７】
図１、図２に示すように、日本家屋１では、外壁２、その他の壁３を直角に交差させて部屋４の隅（コーナ部分）５が構成されている。壁３は、外壁でなく、部屋４の仕切り壁の場合もある。本考案では、部屋の隅の少なくとも一側面が外壁２となっている場合に適用できる。
【００２８】
壁掛け式クーラユニットは、室内機６と、屋外機７と、室内機６及び屋外機７を接続する電気配線８及び水配管９並びに冷媒配管１０と、図示しないリモートコントロールや内蔵のコントローラなど制御装置から成る。電気配線８とは別に、電源コード１１がある。室内機６には吹出口６ａが設けられており、これから室内中央部５ｃへ向けて冷気が供給される。
【００２９】
電気配線８は室内機６と屋外機７間を接続し、図示しないコントローラからの制御信号により屋外機７を制御するためのものである。
【００３０】
水配管９は、室内機６で発生したドレン水を外部に排出するためのもので、室内機６のドレン出口から下り勾配で外部に導水されねばならない。冷媒配管は蒸発した冷媒を屋外機７へ送り、圧縮及び冷却を行って後に凝縮させて室内機６側へ返すため、往復２本の銅管で構成されている。これら電気配線８及び水配管９並びに冷媒配管１０は一まとめに束ねられ、貫通孔１２に通される。
【００３１】
前記壁２、３には柱１３が規定の間隔（９０ｃｍ）で配置されている。本考案の三角柱状箱体１４は、これら柱１３に対して強固に固定できる。
【００３２】
三角柱状箱体１４は、一般的なクーラの取付け位置に従って、天井１５にほとんど当てる位高い位置とし、図２に示すようにその下方は空きのスペースとするのが好ましい。このようにすると、三角柱状箱体１４の下面と床面の高さは約２ｍとなるので、人の通過には邪魔にならない。設計の都合によっては、このスペースに三角形状の棚を設けるのは構わない。
【００３３】
図３（ａ）に示すように、前記三角柱状箱体１４は、壁２側の柱間に沿って配置されるアングル材１６と、壁３側に沿って配置される長さ７７ｃｍ位のアングル材１７と、両アングル材１６、１７の部屋内側端に張設される長さ約１１０ｃｍのアングル材１８とを組合わせて構成される直角二等辺三角形を上下に設け、上下の三角形を高さ５０ｃｍ位のステー１９で結んで成る。
【００３４】
クーラユニットの室内機の寸法について示すと、通常６〜８畳間に用いられるクーラ容量は１．８〜４ｋｗで、重量５〜１０ｋｇ、横寸法は６０〜８０ｃｍである。従って、横寸法が約１１０ｃｍのアングル材１８を用いれば、ほとんどのクーラユニットに適用できる。設計の都合を考慮して、特許寸法にも対応可能にするため、長さ１３０ｃｍのアングル材も準備している。
【００３５】
各アングル材１６、１７、１８及びステー１９の適当な部分にはねじ挿通用の小孔２０が開けられており、この小孔を用いて柱１３に固定すると共に、正面及び下面に図３（ｂ）（ｃ）に示す所の正面化粧板２１、底面化粧板２２をそれぞれ取付ける構造となっている。図３の三角柱状箱体１４は三角形状の上側部材ＵＰと下側部材ＤＯＷＮの一体物で作り、後はステー１９を現場で組み付けて組立てる構成となっている。
【００３６】
正面化粧板２１の所要位置には、配管類を通すための穴２２が設けられている。一点鎖線で示す位置に室内機６を固定する。
【００３７】
図３（ａ）に示す三角柱状箱体１４を部屋４の隅５の上方位置に固定した後、その正面に正面化粧板２０を張る。
【００３８】
三角柱状箱体１４を取付けた後の壁掛け式クーラユニットの取付け方法を示す。まず室外機７を室外に設置する。配管類８、９、１０を貫通孔１２に通す。
【００３９】
次いで室内機６を三角状箱体１４の正面に取付け、底面側から手を入れて取付ける。三角柱状箱体１４の底部には十分広い空間があるので、自由な配管ができ、工具類を使うに際し、楽に作業できる。ドレン水の勾配もきれいにとれるので、後で詰まりの問題などを生じることがない。その後、底面に底面化粧板２３を張る。
【００４０】
以上により、図１に示すように壁掛け式クーラユニットの室内機６を三角柱状箱体１４の正面に取付けることができる。本考案の壁掛け式クーラユニットの取付構造によれば、室内機６の吹出口６ａから吹出す冷気を部屋５の中央部分５ｃに向けて供給することができ、冷却効率の高い冷却設備となすことができる。
【００４１】
図４は、折り畳み式による三角柱状箱体２７を示す説明図である。
【００４２】
本実施形態の三角柱状箱体２７は、上下部材ＵＰ、ＤＯＷＮに分けて構成される。上下対象構造であるので、上側部材ＵＰについて説明する。
【００４３】
上側部材ＵＰは、隅（コーナ部分）５に当てられるコーナ部材２４と、このコーナ部材２４の上端で上下にずらされた位置にて回転自在に組み込まれた左右一対の壁側フレーム２５Ｒ、２５Ｌと、これらフレーム２５Ｒ、２５Ｌの端部に対し回転自在に取付けられた正面フレーム２６Ｒ、２６Ｌを有し、両フレーム２６Ｒ、２６Ｌの中間部をさらに回転自在に支持することにより、フレーム２５Ｒ、２５Ｌ、２６Ｒ、２６Ｌで直角二等辺三角形の形を取り、正面フレーム２６Ｒ、２６Ｌを内側に折り曲げることにより、全体を一束のフレーム材に集約できるようにしている。
【００４４】
従って、上側部材ＵＰ及び下側部材ＤＯＷＮを共に折り畳み、これに図３（ａ）で示したようなステー１９を付属させてセットにすることにより、これらセットを用いて、図３に示したような三角柱状箱体２７（図示せず）を組立てることができる。組立てた三角柱箱体２７には、図３（ｂ）（ｃ）で示した化粧板２１、２３をそのまま適用できる。
【００４５】
図４に示す三角柱状箱体２７の組立てでは、全体を組立ててから隅５に取り付けても良いが、上側部材ＵＰをまず固定し、次にステー１９を取付け、そして次に下側部材ＤＯＷＮを取付けてゆくなど、工事業者の都合に応じて使うことができ、迅速な取付け作業を行うことができる。
【００４６】
三角柱状箱体は、当然に木材を加えて作ることができる。また、図４の例では、部品を上下に分けてそれぞれを折り畳める構造としたが、折り畳み式はこれに限定されず、例えば上又は下の部材に対してステーの一部又は全部を折り畳んで予め組合わせておくこともできる。
【００４７】
また、図４では折り畳み式の例を示し、化粧板２１、２３については図３（ｂ）（ｃ）のものを使用できるとしたが、化粧板２１、２３は輸送の関係で寸法大にすぎるので、図３（ｂ）（ｃ）の化粧板を蝶番などを用いて２枚に折り畳んで搬送し易くすることもできる。この場合、化粧板２１、２３の外表面の美観を損なわないため、蝶番部材を内側に位置させることは当然である。また、化粧用の紙や布を貼付ける形にしても良い。さらに、折り畳みでなく組み合わせ式とすることもできる。
【００４８】
木造家屋の例で示したが、木造家屋以外の家屋、例えばコンクリート構造の家屋であっても適用できる。コンクリート家屋の場合は、三角柱状箱体１４、２７をアンカーボルトを用いて固定する形となる。アンカーボルトを用いる分だけ強固に設置できる。電源コード１１は、三角柱状箱体１４、２７の外部から引き込むのも構わない。見栄えの問題からコンセントを三角柱状箱体の内部に設置する方が好ましいが、外に出すこともできる。
【００４９】
本考案は、上記実施形態に限定されず、適宜の設計的変更を行うことにより、各種態様で実施できる。
【図面の簡単な説明】
【００５０】
【図１】本考案の一実施形態に係る壁掛け式クーラユニットの取付構造を示す平面図である。
【図２】図１を矢印Ｆ２方向から見た側面図である。
【図３】（ａ）図は三角柱状箱体の実施形態を示す説明図で、図１の矢印Ｆ３方向で斜め上方から見た斜視図である。（ｂ）図は正面化粧板を、（ｃ）図は底面化粧板を示す。
【図４】本考案で用いる三角柱状箱体の他の実施形態を示す説明図で、上側部材を下方から、下側部材を上方から見た斜視図で示している。
【符号の説明】
【００５１】
１  家屋
２  外壁
３  その他の壁
４  部屋
５  隅（コーナ部分）
６  室内機
７  屋外機
８  電気配線
９  水配管
１０  冷媒配管
１１  電源コード
１２  貫通孔
１３  柱
１４、２７  三角柱状箱体
１５  天井
１６、１７、１８  アングル材
１９  ステー
２０  小孔
２１  正面化粧板
２２  穴
２３  底面化粧板
２４  コーナ部材
２５Ｒ、２５Ｌ  上側フレーム
２６Ｒ、２６Ｌ  下側フレーム
ＵＰ  上側部材
ＤＯＷＮ  下側部材
【図１】
0003134334.tif 000003
【図２】
0003134334.tif 000004
【図３】
0003134334.tif 000005
【図４】
0003134334.tif 000006